(57)【要約】【課題】  回動筒部の調整位置（設定位置）がズレる不具合を解消し、煩わしい再調整作業を不要にするとともに、不適切な調整位置での視聴等を回避する。回動筒部を回動操作する際の操作性や操作力を最適な状態に設定する。【解決手段】  固定筒部３に対して回動操作可能な回動筒部４を装着してなるレンズ鏡筒２を有するレンズ装置を構成するに際して、固定筒部３と回動筒部４間に、少なくとも回動筒部４を回動操作する際における回動操作トルクＴを所定の大きさに設定可能なトルク設定部材５を介在させる。【選択図】  図１
2010014766.tif 000002
【特許請求の範囲】
【請求項１】
固定筒部に対して回動操作可能な回動筒部を装着してなるレンズ鏡筒を有するレンズ装置において、前記固定筒部と前記回動筒部間に、少なくとも前記回動筒部を回動操作する際における回動操作トルクを所定の大きさに設定可能なトルク設定部材を介在させてなることを特徴とするレンズ装置。
【請求項２】
前記トルク設定部材は、弾性材料又は摩擦材料の一方又は双方により構成することを特徴とする請求項１記載のレンズ装置。
【請求項３】
前記トルク設定部材は、前記回動筒部（又は前記固定筒部）の端面とこの端面が対向する前記固定筒部（又は前記回動筒部）に設けた段差面の間に介在させることを特徴とする請求項１記載のレンズ装置。
【請求項４】
前記トルク設定部材は、前記回動筒部（又は前記固定筒部）の外周面とこの外周面が対向する前記固定筒部（又は前記回動筒部）の内周面の間に介在させることを特徴とする請求項１記載のレンズ装置。
【請求項５】
前記トルク設定部材には、前記回動操作トルクの大きさを可変調整可能なトルク調整手段を付設してなることを特徴とする請求項１〜４のいずれかに記載のレンズ装置。
【請求項６】
前記回動筒部には、ズームリング，フォーカスリング，アイリスリング、の一又は二以上を含むことを特徴とする請求項１〜５のいずれかに記載のレンズ装置。
【請求項７】
請求項１〜６のいずれかに記載のレンズ装置を備えることを特徴とする光学機器。
【請求項８】
光源部から射出された光束を画像情報に応じて変調して拡大投射するプロジェクタであることを特徴とする請求項７記載の光学機器。
【発明の詳細な説明】
【技術分野】
【０００１】
本発明は、特に天吊り設置を含む様々な態様で設置を行うプロジェクタ等に用いて好適なレンズ装置及び光学機器に関する。
【背景技術】
【０００２】
一般に、プロジェクタは、投射用のレンズ装置を搭載し、このレンズ装置は、通常、固定筒部に対して手動により回動操作可能なズームリング，フォーカスリング，アイリスリングなどの回動筒部を装着したレンズ鏡筒を備えている。
【０００３】
従来、プロジェクタに搭載したこの種のレンズ鏡筒を備えたレンズ装置としては、特許文献１で開示されるレンズ鏡筒構造（レンズ装置）が知られており、同文献１には、基本構造として、固定部材（固定筒部）に手動により回動操作可能なズーム部材（ズームリング）を装着したレンズ鏡筒を備えたレンズ装置が開示されるとともに、この種のレンズ鏡筒は、通常、ズーム部材からカムリフトを有する構成のカム環部材と直進溝を有する固定部材を介し、各移動群に対してコロ結合するか、若しくはモールド部品で一体成形されたカムフォロワー部を持つカム環部材が直進溝を有する固定部材を介し、各移動群とでカム構成する点が開示されている。
【特許文献１】特開２００３−２０２４７９号公報
【発明の開示】
【発明が解決しようとする課題】
【０００４】
しかし、上述した従来におけるレンズ装置（レンズ鏡筒構造）は、次のような問題点があった。
【０００５】
図８に示すように、プロジェクタＭｐを天吊り金具１０１を用いて天井２０１に天吊り設置した場合、レンズシフト機構を搭載しないタイプでは、プロジェクタＭｐを前下がりに傾斜させて設置する場合も少なくない。この場合、レンズ装置１０２も前下がりに傾斜するため、初期設置時において、ズームリング１０３によりズーミング調整を行っても、長期の使用により、ズーミング位置が徐々にズレてしまう問題を生じる。さらに、使用態様によっては、天井に設置したプロジェクタＭｐから床面に投射する場合もあり、この場合には問題がより顕著になる。
【０００６】
特に、手動により操作するズームリング１０３は、ズーミング調整時の操作性（操作フィーリング）や操作力を確保する必要があるため、あまり大きな回動操作トルクに設定できないとともに、ズーミング機構には、通常、比較的重いガラスレンズが複数枚使用されるため、その自重が無視できず、長期の使用や僅かな振動等の影響により初期調整したズーミング位置にズレを生じやすい。そして、一旦、ズーミング位置がズレてしまった場合には、天吊り設置したプロジェクタＭｐに対して再調整を必要とするが、この際、踏み台等に載って再調整しなければならないなど、面倒で煩わしい作業を強いられるとともに、ズーミング位置のズレを使用者が気付かない場合には、最適でないズーミング位置での視聴を強いられてしまう。
【０００７】
本発明は、このような背景技術に存在する課題を解決したレンズ装置及び光学機器の提供を目的とするものである。
【課題を解決するための手段】
【０００８】
本発明に係るレンズ装置１は、上述した課題を解決するため、固定筒部３に対して回動操作可能な回動筒部４を装着してなるレンズ鏡筒２を有するレンズ装置を構成するに際して、固定筒部３と回動筒部４間に、少なくとも回動筒部４を回動操作する際における回動操作トルクＴを所定の大きさに設定可能なトルク設定部材５を介在させてなることを特徴とする。
【０００９】
この場合、発明の好適な態様により、トルク設定部材５は、弾性材料Ｒｅ又は摩擦材料Ｒｒの一方又は双方により構成することができる。また、トルク設定部材５は、回動筒部４（又は固定筒部３）の端面Ｆｔとこの端面Ｆｔが対向する固定筒部３（又は回動筒部４）に設けた段差面Ｆｓの間に介在させてもよいし、或いは回動筒部４（又は固定筒部３）の外周面Ｆｏとこの外周面Ｆｏが対向する固定筒部３（又は回動筒部４）の内周面Ｆｉの間に介在させてもよい。さらに、トルク設定部材５には、回動操作トルクＴの大きさを可変調整可能なトルク調整手段６を付設することができる。なお、回動筒部４には、ズームリング４ｚ，フォーカスリング４ｆ，アイリスリング、の一又は二以上を含ませることができる。
【００１０】
他方、本発明に係る光学機器Ｍは、かかるレンズ装置１を利用したものであり、特に、光学機器Ｍとしては、光源部から射出された光束を画像情報に応じて変調して拡大投射するプロジェクタＭｐに適用することが望ましい。
【発明の効果】
【００１１】
このような構成を有する本発明に係るレンズ装置１及び光学機器Ｍによれば、次のような顕著な効果を奏する。
【００１２】
（１）  レンズ装置１（光学機器Ｍ）を傾斜させて設置する場合であっても、回動筒部４を回動操作する際の回動操作トルクＴを大きく設定できるため、回動筒部４の回動操作による調整後に回動筒部４の調整位置（設定位置）がズレてしまう不具合を解消できる。したがって、面倒で煩わしい再調整作業を不要にできるとともに、不適切な調整位置での視聴等を回避できる。
【００１３】
（２）  回動筒部４を回動操作する際における回動操作トルクＴを所定の大きさに設定できるため、回動筒部４を回動操作する際の操作性（操作フィーリング）や操作力を最適な状態に設定することができる。
【００１４】
（３）  好適な態様により、トルク設定部材５を、弾性材料Ｒｅ又は摩擦材料Ｒｒの一方又は双方により構成すれば、レンズ装置１の構成や大きさ等にマッチングさせた回動操作トルクＴの大きさを任意かつ容易に設定することができる。
【００１５】
（４）  好適な態様により、トルク設定部材５を、回動筒部４（又は固定筒部３）の端面Ｆｔとこの端面Ｆｔが対向する固定筒部３（又は回動筒部４）に設けた段差面Ｆｓの間に介在させれば、既存のレンズ装置の構成をそのまま利用し又はサイズ変更等の僅かな設計変更のみで容易に組付けることができる。
【００１６】
（５）  好適な態様により、トルク設定部材５を、回動筒部４（又は固定筒部３）の外周面Ｆｏとこの外周面Ｆｏが対向する固定筒部３（又は回動筒部４）の内周面Ｆｉの間に介在させれば、僅かな設計変更のみで容易にトルク設定部材５を設けることができるとともに、回動筒部４又は固定筒部３の軸方向への応力発生を回避することができる。
【００１７】
（６）  好適な態様により、トルク設定部材５に、回動操作トルクＴの大きさを可変調整可能なトルク調整手段６を付設すれば、回動操作トルクＴの大きさを任意に調整できるため、回動筒部４を回動操作する際における操作性（操作フィーリング）や操作力を、ユーザの好みなどに応じて自由に調整（設定）することができ、ユーザの利便性向上に寄与できる。
【００１８】
（７）  好適な態様により、回動筒部４に、ズームリング４ｚ，フォーカスリング４ｆ，アイリスリング、の一又は二以上を含ませれば、特に問題として無視できないズームリング４ｚにおけるズレ防止や操作性向上等の改善に加え、同様の効果をフォーカスリング４ｆやアイリスリングにも適用でき、レンズ装置１（光学機器Ｍ）の更なる付加価値向上に寄与できる。
【００１９】
（８）  好適な態様により、レンズ装置１を光学機器Ｍ、特にプロジェクタＭｐに用いれば、天吊り設置を行う場合における既設定のズーミング位置等の調整位置がズレる不具合を解消できる。
【発明を実施するための最良の形態】
【００２０】
次に、本発明に係る最良の実施形態を挙げ、図面に基づき詳細に説明する。
【００２１】
まず、本実施形態に係るレンズ装置１の主要部の構成について、図１〜図４を参照して説明する。
【００２２】
図１は、本実施形態に係るレンズ装置１を示す。レンズ装置１は、レンズ鏡筒２を備え、このレンズ鏡筒２の内部には複数のレンズ群Ｌｆ，Ｌａ，Ｌｂ，Ｌｃ，Ｌｒを収容する。各レンズ群Ｌｆ，Ｌａ…Ｌｒには、一枚又は二枚以上のレンズが含まれる。例示のレンズ群Ｌｆ…Ｌｒは五群であるが、この群数は任意である。レンズ鏡筒２は、固定筒部３を備え、この固定筒部３は内側の内筒部３ｉと外側の外筒部３ｏを備える。なお、この固定筒部３は、後述するプロジェクタＭｐ（光学機器Ｍ）の外装内に固定される。内筒部３ｉは外筒部３ｏの前端よりも前方に突出するとともに、内筒部３ｉの内部にはカム筒部４ｃを回動自在に収容する。また、内筒部３ｉにおける外周面の前部には、ズームリング４ｚを回動自在に装填する。ズームリング４ｚは、内筒部３ｉの外周面に回動自在に装填するズームリングベース４ｚｂと、このズームリングベース４ｚｂの外周縁に固定したズームリング本体４ｚｍを備える。そして、内筒部３ｉの前部には周方向に沿って形成したガイド溝２３（図２参照）を有し、このガイド溝２３に収容したコロ部材２４を介してズームリングベース４ｚｂとカム筒部４ｃを結合する。これにより、ズームリング４ｚを回動操作すれば、カム筒部４ｃを一体に回動させることができる。したがって、ズームリング４ｚを含むカム筒部４ｃは回動筒部４を構成する。
【００２３】
さらに、カム筒部４ｃの筒体には、図２に示すように、螺旋方向に沿って形成した複数のカム溝１２ａ…，１２ｂ…，１２ｃ…を有するとともに、内筒部３ｉの筒体には、前後方向（軸方向）に沿って形成した直線溝１３…を有する。また、カム筒部４ｃの内部には、複数のレンズ群枠２５ａ，２５ｂ，２５ｃを収容し、各レンズ群枠２５ａ…の外周面から放射方向に突出し、かつ周方向に１２０〔゜〕間隔で配した三つ（一般的には複数）のコロ部材２６ａ…，２６ｂ…，２６ｃ…を、上述したカム筒部４ｃのカム溝１２ａ…，１２ｂ…，１２ｃ…及び内筒部３ｉの直線溝１３…にそれぞれ係合させる。これにより、カム筒部４ｃを回動させれば、各レンズ群枠２５ａ，２５ｂ，２５ｃを前後方向に変位させることができる。各レンズ群枠２５ａ…は同様に組付けるが、各レンズ群枠２５ａ…に対応する各カム溝１２ａ…の傾斜角は同一又は異なせて設定する。以上の構成が基本的なズーミング機構Ｕｚとなる。
【００２４】
一方、ズーミング機構Ｕｚには、本発明に従って、ズームリング４ｚ（回動筒部４）を回動操作する際における回動操作トルクＴを所定の大きさに設定可能なトルク設定部材５を設ける。即ち、トルク設定部材５を、固定筒部３と回動筒部４間に介在させることにより、ズームリング４ｚを回動操作する際の回動操作トルクＴを所定の大きさに設定する。図３及び図４にトルク設定部材５を示す。トルク設定部材５には、バネ性を有する金属素材或いは合成樹脂素材等の弾性材料Ｒｅにより一体形成したウェーブワッシャ５ａを用いる。このウェーブワッシャ５ａは図３に示すように全体をリング形に形成するとともに、図４に示すように周方向へ一定間隔おきに折曲した山部と谷部を繰り返す波形に形成する。トルク設定部材５を、このような弾性材料Ｒｅにより構成すれば、レンズ装置１の構成や大きさ等にマッチングさせた回動操作トルクＴの大きさを任意かつ容易に設定できる利点がある。
【００２５】
このトルク設定部材５は、図１に示すように、カム筒部４ｃ（回動筒部４）の端面（後端面）Ｆｔとこの端面Ｆｔが対向する内筒部３ｉ（固定筒部３）の後部に設けた段差面Ｆｓの間に介在させる。したがって、トルク設定部材５の外径寸法は、カム筒部４ｃの外径寸法よりも稍小さい寸法を選定するとともに、トルク設定部材５の内径寸法は、レンズ鏡筒２の内部に設けられる光路を阻害しない寸法となる段差面Ｆｓの内径寸法とほぼ同程度の寸法を選定することが望ましい。また、トルク設定部材５は、回動筒部４を回動操作する際における回動操作トルクＴを所定の大きさに設定する機能を有するため、実際に組付けた際における回動操作トルクＴが最適な大きさとなるように、ウェーブワッシャ５ａを形成する際の、材料，厚さ，波形の数や形成角度等を選定するとともに、必要により、ウェーブワッシャ５ａの表面に摩擦材料を付加、即ち、表面処理又はコーティング等により摩擦材料を付加する。
【００２６】
ところで、カム筒部４ｃの端面Ｆｔとこの端面Ｆｔが対向する内筒部３ｉの後部に設けた段差面Ｆｓの間は、固定した固定筒部３とこの固定筒部３の内部に収容した回動する回動筒部４が摺接する端面間となるため、本来的に僅かな隙間Ｓｏが存在する。したがって、この隙間Ｓｏがある程度大きい場合には、そのままこの隙間Ｓｏを利用してトルク設定部材５を収容できるとともに、隙間Ｓｏが小さい場合であっても、カム筒部４ｃの軸方向寸法を稍短く形成するのみで、容易にトルク設定部材５を収容する空間（隙間Ｓｏ）を確保できる。このように、トルク設定部材５を、回動筒部４の端面Ｆｔとこの端面Ｆｔが対向する固定筒部３に設けた段差面Ｆｓの間に介在させれば、既存のレンズ装置の構成をそのまま利用し又はサイズ変更等の僅かな設計変更のみで容易に組付けることができる利点がある。
【００２７】
他方、内筒部３ｉにおける内周面の前部には、前述したレンズ群Ｌｆを保持するレンズ群枠２７の外周面を螺合するとともに、このレンズ群枠２７の外周縁には、手動により回動操作するフォーカスリング４ｆ（回動筒部４）を固定する。これにより、フォーカスリング４ｆを回動操作すれば、レンズ群Ｌｆを保持するレンズ群枠２７を前後方向に変位させることができるフォーカシング機構Ｕｆが構成され、レンズ装置１におけるフォーカシング調整を行うことができる。
【００２８】
次に、本実施形態に係るレンズ装置１の主要部の機能（作用）について、図１〜図４を参照して説明する。
【００２９】
まず、上述したウェーブワッシャ５ａ（トルク設定部材５）は、内筒部３ｉ（固定筒部３）とカム筒部４ｃ（回動筒部４）の組付時に一緒に組付けることができる。即ち、図４に示すように、内筒部３ｉの内部に、ウェーブワッシャ５ａを収容し、この後、カム筒部４ｃを内筒部３ｉの内部に収容するのみで容易に組付けることができる。なお、内筒部３ｉとカム筒部４ｃの軸方向位置は、内筒部３ｉに設けた周方向のガイド溝２３とカム筒部４ｃのコロ部材２４の係合により規制される。
【００３０】
一方、ズーミング機構Ｕｓの基本的な機能は次のようになる。ズームリング４ｚを手動により回動操作すれば、ズームリング４ｚの回動変位は、ズームリングベース４ｚｂ及びコロ部材２４を介してカム筒部４ｃに伝達され、カム筒部４ｃが一体に回動変位する。これにより、カム筒部４ｃに設けた螺旋方向のカム溝１２ａ…，１２ｂ…，１２ｃ…及び内筒部３ｉに設けた前後方向の直線溝１３…にそれぞれ係合するコロ部材２６ａ…，２６ｂ…，２６ｃ…は前後方向に変位する。したがって、ズームリング４ｚの回動操作により、コロ部材２６ａ…，２６ｂ…，２６ｃ…に一体のレンズ群枠２５ａ，２５ｂ，２５ｃを前後方向に変位、即ち、レンズ群Ｌａ，Ｌｂ，Ｌｃを前後方向に変位させるズーミング調整を行うことができる。
【００３１】
この際、本実施形態に係るレンズ装置１では、カム筒部４ｃと内筒部３ｉに、ズームリング４ｚ（回動筒部４）を回動操作する際における回動操作トルクＴを所定の大きさに設定したウェーブワッシャ５ａ（トルク設定部材５）が介在するため、ズームリング４ｚを手動により回動操作する際における操作性（操作フィーリング）や操作力は最適な状態となる。また、レンズ装置１を傾斜させて設置する場合であっても、回動筒部４を回動操作する際の回動操作トルクＴを大きく設定できるため、回動筒部４の回動操作による調整後に回動筒部４の調整位置（設定位置）がズレてしまう不具合を解消できる。したがって、面倒で煩わしい再調整作業を不要にできるとともに、不適切な調整位置での視聴等を回避できる。
【００３２】
次に、本発明の変更実施形態に係るレンズ装置１について、図５〜図７を参照して説明する。
【００３３】
まず、図５（ａ）〜（ｃ）は、図１〜図４に示した基本実施形態のレンズ装置１におけるトルク設定部材５の変更例を示す。図５（ａ）は、トルク設定部材５として、弾性材料Ｒｅにより形成したコイルスプリング５ｂを用いたものであり、図１に示したウェーブワッシャ５ａと置換するのみで容易に実施できる。図５（ｂ）は、トルク設定部材５として、弾性材料Ｒｅであるゴム素材により形成したゴムリング５ｃを用いたものであり、この場合も図１に示したウェーブワッシャ５ａと置換するのみで容易に実施できる。図５（ｃ）は、トルク設定部材５として、摩擦材料Ｒｒを利用するとともに、トルク設定部材５に対して、回動操作トルクＴの大きさを可変調整可能なトルク調整手段６を付設したものである。即ち、内筒部３ｉの段差面Ｆｓに、軸方向に貫通し、かつ周方向に等間隔となる複数（三つ又は四つ）のネジ孔部３１…を設け、内筒部３ｉにカム筒部４ｃを組付けた後、各ネジ孔部３１…に対して外側から、トルク設定部材５となる摩擦材料Ｒｒにより形成した円柱形のブロック５ｄｒ…，弾性材料Ｒｅにより形成したコイルスプリング５ｄｅ…を順番に挿入するとともに、この後、調整ネジ３２…を螺合する。これにより、ブロック５ｄｒ…をカム筒部４ｃの端面Ｆｔに圧接させることができるとともに、調整ネジ３２…により圧接力の大きさを可変調整、即ち、回動操作トルクＴの大きさを可変調整することができる。このようなトルク調整手段６を付設すれば、回動操作トルクＴの大きさを任意に調整できるため、回動筒部４を回動操作する際の操作性（操作フィーリング）や操作力を、ユーザの好みなどに応じて自由に調整（設定）することができ、ユーザの利便性向上に寄与できる利点がある。
【００３４】
一方、図６（ａ）〜（ｄ）は、図１〜図４に示した基本実施形態のレンズ装置１におけるトルク設定部材５を設ける位置（組付位置）の変更例を示す。図６（ａ）〜（ｄ）は、いずれも、トルク設定部材５を、回動筒部４となるカム筒部４ｃの外周面Ｆｏとこの外周面Ｆｏが対向する固定筒部３となる内筒部３ｉの内周面Ｆｉの間に介在させたものである。したがって、図６（ａ）〜（ｄ）は、いずれも、カム筒部４ｃの外周面Ｆｏの全周にわたって切削状の凹部を形成することにより、外周面Ｆｏと内周面Ｆｉの間に隙間Ｓｍを形成し、この隙間Ｓｍに、トルク設定部材５を介在させた。図６（ａ）はトルク設定部材５として、摩擦材料Ｒｒであるモケット素材により形成したモケットシート５ｅｒを使用し、モケットシート５ｅｒを接着剤５ｅｃにより外周面Ｆｏ上に接着固定したものである。図６（ｂ）は、図６（ａ）のモケットシート５ｅｒの代わりにゴムシート５ｆを用いたものである。この場合、外周面Ｆｏには、ゴムシート５ｆを保持する凹溝部３３を設けた。図６（ｃ）は、図６（ｂ）のゴムシート５ｆの代わりに弾性材料Ｒｅにより形成した板バネ５ｇ…を用いたものである。図６（ｄ）は、固定筒部３（内筒部３ｉ）の一部を直接利用して板バネ部５ｈ…を形成したものである。即ち、図６（ｃ）では、金属素材等により別体に形成した板バネ５ｇ…を組付けたが、図６（ｄ）は、固定筒部３（内筒部３ｉ）の一部により一体形成したものである。図６（ａ）〜（ｄ）は、いずれも、トルク設定部材５を、回動筒部４の外周面Ｆｏとこの外周面Ｆｏが対向する固定筒部３の内周面Ｆｉの間に介在させたものであり、前述した図１〜図５に示した実施形態と同様に、回動筒部４を回動操作する際における回動操作トルクＴを所定の大きさに設定できる。また、この場合、僅かな設計変更のみで容易にトルク設定部材５を設けることができるとともに、回動筒部４又は固定筒部３の軸方向への応力発生を回避できる利点がある。
【００３５】
他方、図７（ａ）及び（ｂ）は、図１〜図４に示した基本実施形態のレンズ装置１におけるトルク設定部材５を設ける位置（組付位置）を変更するとともに、図５（ｃ）と同様の機能であるトルク設定部材５に対して、回動操作トルクＴの大きさを可変調整可能なトルク調整手段６を付設した変更例を示す。なお、図７（ａ）及び（ｂ）に示すレンズ鏡筒２の基本構成は、いずれも図１〜図６に示した構成とは異なる。図７（ａ）は、固定筒部３の外周面に、回動筒部４を回動自在に装着した構成を有する。固定筒部３の前端部３ｋは、回動筒部４の端面（前端面）Ｆｔよりも前方に突出させ、この前端部３ｋの外周面に雄ネジ部３ｋｓを形成する。そして、この雄ネジ部３ｋｓにトルク設定リング５ｉを螺合する。
【００３６】
したがって、トルク設定リング５ｉの内周面には雌ネジ部５ｉｎを形成する。このトルク設定リング５ｉはトルク設定部材５を構成し、摩擦材料Ｒｒにより一体形成する。トルク設定リング５ｉは固定筒部３の前端部３ｋに螺合するため、固定筒部３の段差面Ｆｓを兼ねている。これにより、トルク設定リング５ｉを回動筒部４の端面（前端面）Ｆｔに当接させれば、回動筒部４を回動操作する際における回動操作トルクＴを所定の大きさに設定できるとともに、トルク設定リング５ｉを回せば、雄ネジ部３ｋｓと雌ネジ部５ｉｎによりトルク設定リング５ｉが軸方向に変位し、回動操作トルクＴの大きさが可変調整可能となるトルク調整手段６が構成される。なお、４１は、トルク設定リング５ｉを操作するための操作部であり、トルク設定リング５ｉに一体形成する。このように、トルク設定リング５ｉに、回動操作トルクＴの大きさを可変調整可能なトルク調整手段６を付設すれば、回動操作トルクＴの大きさを任意に調整できるため、回動筒部４を回動操作する際の操作性（操作フィーリング）や操作力を、ユーザの好みなどに応じて自由に調整（設定）することができ、ユーザの利便性向上に寄与できる利点がある。図７（ｂ）は、図７（ａ）の構成に対して、トルク設定リング５ｉと端面（前端面）Ｆｔ間に、さらに弾性材料Ｒｅにより形成した弾性リング５ｊを介在させたものである。したがって、この場合には、弾性リング５ｊがトルク設定部材５を構成するとともに、トルク設定リング５ｉは段差面Ｆｓを構成する。なお、図５〜図７において、図１〜図４と同一部分（同一機能部分）には同一符号を付してその構成を明確にするとともに、その詳細な説明は省略する。
【００３７】
ところで、このようなレンズ装置１は、光源部から射出された光束を画像情報に応じて変調して拡大投射するプロジェクタＭｐ（光学機器Ｍ）に用いて最適である。即ち、この種のプロジェクタＭｐは、傾斜させて天吊り設置（図８参照）を行う場合も多いが、この際、本実施形態に係るレンズ装置１も傾斜し、複数のレンズ群Ｌａ…の自重がズーミング機構Ｕｚに付加されたとしても、既設定（例えば、初期設定）のズーミング位置がズレる不具合を解消できる。
【００３８】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３９】
例えば、回動筒部４として、ズームリング４ｚを例示したが、フォーカスリング４ｆやアイリスリング（不図示）であってもよく、ズームリング４ｚの場合と同様に構成することにより各回動操作トルクの大きさを調整できる。このように、特に問題として無視できないズームリング４ｚにおけるズレ防止や操作性向上等の改善に加え、同様の効果をフォーカスリング４ｆやアイリスリングにも適用できるため、レンズ装置１（光学機器Ｍ）の更なる付加価値向上に寄与できる。また、実施形態の中でも例示したように、トルク設定部材５は、弾性材料Ｒｅ又は摩擦材料Ｒｒの一方により構成してもよいし、双方により構成してもよい。さらに、実施形態の中でも例示したように、トルク設定部材５は、回動筒部４の端面Ｆｔとこの端面Ｆｔが対向する固定筒部３に設けた段差面Ｆｓの間に介在させてもよいし、固定筒部３の端面Ｆｔとこの端面Ｆｔが対向する回動筒部４に設けた段差面Ｆｓの間に介在させる形態であってもよい。同様に、トルク設定部材５は、回動筒部４の外周面Ｆｏとこの外周面Ｆｏが対向する固定筒部３の内周面Ｆｉの間に介在させてもよいし、固定筒部３の外周面Ｆｏとこの外周面Ｆｏが対向する回動筒部４の内周面Ｆｉの間に介在させる形態であってもよい。なお、レンズ装置１は、光学機器Ｍとして特にプロジェクタＭｐに適用して最適であるが、カメラや望遠鏡等の他の各種光学機器Ｍ…にも同様に利用することができる。この場合、プロジェクタＭｐは液晶パネル方式をはじめ各種タイプのプロジェクタを適用できる。
【図面の簡単な説明】
【００４０】
【図１】本発明の最良の実施形態に係るレンズ装置の断面側面図、
【図２】同レンズ装置におけるレンズ鏡筒の主要部の分解斜視図、
【図３】同レンズ装置に用いるウェーブワッシャ（トルク設定部材）の正面図、
【図４】同レンズ装置に用いるウェーブワッシャ（トルク設定部材）の組付方法の説明図、
【図５】本発明の変更実施形態に係るレンズ装置であってトルク設定部材の変更例を示すレンズ装置の一部を省略した断面側面図、
【図６】本発明の他の変更実施形態に係るレンズ装置であってトルク設定部材を設ける位置（組付位置）の変更例を示すレンズ装置の一部を省略した断面側面図、
【図７】本発明の他の変更実施形態に係るレンズ装置であってトルク設定部材を設ける位置（組付位置）の他の変更例を示すレンズ装置の一部を省略した断面側面図、
【図８】背景技術を説明するための天吊り設置したプロジェクタ（光学機器）の側面図、
【符号の説明】
【００４１】
１：レンズ装置，２：レンズ鏡筒，３：固定筒部，Ｆｓ：段差面，Ｆｉ：内周面，４：回動筒部，Ｆｔ：端面，Ｆｏ：外周面，４ｚ：ズームリング，４ｆ：フォーカスリング，５：トルク設定部材，６：トルク調整手段，Ｒｅ：弾性材料，Ｒｒ：摩擦材料，Ｍ：光学機器，Ｍｐ：プロジェクタ
【図１】
2010014766.tif 000003
【図２】
2010014766.tif 000004
【図３】
2010014766.tif 000005
【図４】
2010014766.tif 000006
【図５】
2010014766.tif 000007
【図６】
2010014766.tif 000008
【図７】
2010014766.tif 000009
【図８】
2010014766.tif 000010